(57)【要約】      （修正有）【課題】眼鏡の装着時に、フレームと顔面との間に生じる隙間から、侵入する空中に飛散し、浮遊している花粉や塵埃を防御し、眼や瞼を保護するための器具、用具を提供する。【解決手段】柔軟性とフレキシブル性を併せ持つ素材で成形されたシート材もしくはフィルム材であり、横長の下部２と、その下部２の上縁３a中央部分に連結された横長の上部３とを有し、下部２の下縁３ｂ中央には鼻梁を回避する切り欠き４を設け、かつ、中央にはレンズ部と対応する二つの透孔５を並設し、上部３の両端は翼状に斜上方へ延設され、した二つの透孔５の周域と、下部２の両端上縁２a近傍及び上部左右の両下縁３ｂには眼鏡フレームへの接着用接着剤部７a,７ｂを有していることとする。【選択図】図１
2019194628.tif 000002
【特許請求の範囲】
【請求項１】
柔軟性とフレキシブル性を併せ持つ素材で成形されたシート材もしくはフィルム材であり、横長の下部と、その下部の上縁中央部分に連結された横長の上部とを有し、前記した下部の下縁中央には鼻梁を回避する切り欠きを設け、かつ、中央にはレンズ部と対応する二つの透孔を並設し、前記上部の両端は翼状に斜上方へ延設され、前記した二つの透孔の周域と、下部の両端上縁近傍及び上部左右の両下縁には眼鏡フレームへの接着用接着剤部を有していることを特徴とする眼鏡用カバー。
【請求項２】
前記した下部と上部の境界線の両端にはノッチが設けられていることを特徴とする請求項１に記載の眼鏡用カバー。
【請求項３】
前記したノッチは前記した下部の上縁に沿ったラインで切り込まれて形成されていることを特徴とする請求項２に記載の眼鏡用カバー。
【請求項４】
前記した接着用接着剤部は両面テープあるいはアクリル系親水性高分子の接着剤が用いられていることを特徴とする請求項１に記載の眼鏡用カバー。
【請求項５】
前記した素材として、塩化ビニールをはじめとする合成樹脂、不織布、合成繊維のうち１つを用いてあることを特徴とする請求項１に記載の眼鏡用カバー。
【請求項６】
前記した素材として、塩化ビニールをはじめとする合成樹脂、不織布、合成繊維のうち２つもしくは３つを組み合せて用いてあることを特徴とする請求項１に記載の眼鏡用カバー。
【発明の詳細な説明】
【技術分野】
【０００１】
本発明は眼鏡用カバーに関し、特に、眼鏡（サングラスを含む）の装着時に、その眼鏡のフレームと顔面との間に生じる隙間を塞ぎ、空中に飛散、浮遊している花粉や塵埃から眼や瞼を防御、保護するための眼鏡用カバーに関する。
【背景技術】
【０００２】
一般的に、眼鏡はフレームにレンズが装備されているもので、フレームの蔓を耳に掛け、フレームの鼻当てを鼻梁に当接させ使用する。そのため、蔓を含めたフレームと顔面との間には隙間が生じ、屋外や作業現場等にあって、花粉、塵埃が侵入し、眼の表面に付着したり、瞼周域に付着してしまうこととなり、痛みや痒みを伴なう症状を生じてしまう。
【０００３】
フレームと顔面との隙間をなくし、密着させるものとして、ゴーグルがあるが、このゴーグルはサイズ的に大きくなり、重量も嵩んでしまい、顔面との密着性から使用に違和感があるもので、使用が快適なものとはならない。特に、眼鏡を装着したまま使用する場合、この違和感は大きなものとなってしまう。
【０００４】
さらに、通常、眼鏡を使用することのない視覚健常者にあっても、花粉や塵埃による症状は眼鏡使用者と同等に生じるものであり、これを防止し、保護するための器具はないのが現状である。
【先行技術文献】
【特許文献】
【０００５】
出願人は、本願発明に関して先行する技術文献を調査したが、格別に本願発明と関連し、類似すると思われる文献は発見できなかった。
【発明の概要】
【発明が解決しようとする課題】
【０００６】
本願発明が解決しようとする問題点は、従来、眼鏡の装着時に、フレームと顔面との間に生じる隙間を塞ぐことはできず、その隙間から、空中に飛散し、浮遊している花粉や塵埃が侵入し、眼の表面や瞼に付着し、痛みや痒みの症状が生じてしまい、これを防御し、眼や瞼を保護するための器具、用具が存在していなかったという点であり、この問題は、通常眼鏡を使用することのない視覚健常者にとっても共通するものとなっている。
【課題を解決するための手段】
【０００７】
この問題点を解決するために、本願発明に係る眼鏡用カバーは、柔軟性とフレキシブル性を併せ持つ素材で成形されたシート材もしくはフィルム材であり、横長の下部と、その下部の上縁中央部分に連結された横長の上部とを有し、前記した下部の下縁中央には鼻梁を回避する切り欠きを設け、かつ、中央にはレンズ部と対応する二つの透孔を並設し、前記上部の両端は翼状に斜上方へ延設され、前記した二つの透孔の周域と、下部の両端上縁近傍及び上部左右の両下縁には眼鏡フレームへの接着用接着剤部を有していることを特徴としている。
【０００８】
また、本発明に係る眼鏡用カバーは、前記した下部と上部の境界線の両端にはノッチが設けられていることを特徴とし、前記したノッチは前記した下部の上縁に沿ったラインで切り込まれて形成されていることを特徴としている。
【０００９】
さらに、本発明に係る眼鏡用カバーは、前記した接着用接着剤部は両面テープあるいはアクリル系親水性高分子の接着剤が用いられていることを特徴としている。
【００１０】
そして、本発明に係る眼鏡用カバーは、前記した素材として、塩化ビニールをはじめとする合成樹脂、不織布、合成繊維のうち１つを用いてあることを特徴とし、前記した素材として、塩化ビニールをはじめとする合成樹脂、不織布、合成繊維のうち２つもしくは３つを組み合せて用いてあることを特徴としている。
【発明の効果】
【００１１】
本願発明は上記のように構成されている。そのため、眼鏡のレンズ周域や蔓部分に眼鏡用カバーが止着され、その眼鏡用カバーが取り付けられた状態で眼鏡を装着すると、フレームと顔面との間に生じる隙間がこの眼鏡用カバーによって塞がれ、花粉や塵埃が眼や瞼に付着してしまうことを未然に防止することができ、眼や瞼を保護することができる。この作用は視覚健常者にとっても同様となり、度のないレンズを装備した眼鏡フレームに、この眼鏡用カバーを装備しその眼鏡を装着することで、眼や瞼を花粉や塵埃から防護することができることとなる。
【図面の簡単な説明】
【００１２】
【図１】本発明を実施した眼鏡用カバーの展開正面図である。
【図２】眼鏡に装備した状態の側方斜視図である。
【図３】同じく平面図である。
【図４】同じく正面図である。
【発明を実施するための形態】
【００１３】
図面として示し、実施例で説明したように構成したことで実現した。
【実施例１】
【００１４】
次に、本発明の好ましい実施の一例を図面を参照して説明する。図中１は本発明を実施した眼鏡用カバーであり、この眼鏡用カバー１は本実施例にあっては厚さ０．３ｍｍの透明もしくは半透明の塩化ビニールで成形されており、その成形は型抜きによる一体物となっている。この素材は柔軟性とフレキシブル性を併せもつものであれば、不織布やオレフィン、ポリエステル等による合成繊維を用いることもでき、後述する部位ごとに別異の素材を組み合せ成形することも可能であり、合成樹脂のシートやフィルムを用いる場合、通気性や防曇性を有するものが好ましい。
【００１５】
この眼鏡用カバー１は、全体形状が上下方向の中央部分の幅を狭くした蝶羽状となっており、その中央の幅狭部分を境Ｄとして下部２と上部３が一体に連接されている。また、この下部２と上部３は別異の素材を連結することも、下部２の下縁部分や上部３の上縁部分を別異の素材によって連結して成形することも必要に応じて可能である。
【００１６】
前記した下部２の中央下方には、鼻梁を回避するための逆Ｖ字上の切り欠き４が形成されており、また、この下部２の中央部分には、前記した切り欠き４を挟む位置に、二つのレンズ部と対応する透孔５、５が左右方向に並設形成されている。この下部２は、各々左右の端部が先細りに形成されており、少なくとも上縁２ａ、２ａは、上部３との境Ｄ部分からその先端に向かってなだらかな曲線で構成されている。
【００１７】
一方、上部３は両上端を斜上方へ延長したガルウィング状に形成されており、上縁３ａの中央は額に対応させるため、両縁上縁よりも低い位置（凹んだ位置）に形成されている。また、上部３の下縁３ｂ、３ｂは前記した下部２との境Ｄから斜上方へ向かう直線状とされ、前記した下部２の上縁２ａとによってＶ字状の切り欠きを形成し、上部３の両端部との間で直角の切り欠き３ｃ、３ｃを備えた構成となっている。
【００１８】
また、前記した境Ｄの喉部分には下部２の上縁２ａ、２ａのラインの延長線上で直線的なノッチ（切り込み）６、６が設けられている。このノッチ６、６によって下部２と上部３はその部分での相互重合が可能となり、眼鏡カバー１全体としての変形自由度も高められるものとなっている。また、このノッチ（切り込み）６、６は本実施例では直線的なＩノッチとしてあるが、必要に応じてＶノッチやＵノッチとすることも可能である。
【００１９】
前記した、レンズ部と対応する透孔５、５の周囲、下部２の上縁２ａ、２ａに沿った域及び上部３の下縁３ｂ、３ｂに沿った域には接着剤部７、７，７ａ、７ａ，７ｂ、７ｂが設けられており、本実施例ではこの接着剤部７，７ａ，７ｂは各々両面テープを使用することとしている。
【００２０】
この接着剤部７ａは先端から徐々に幅狭のものとし、境Ｄまでは至らないもので、接着剤部７ｂの境Ｄから切り欠き３ｃまで至り、境Ｄ側から徐々に幅広になる構成となっている。
【００２１】
本発明に係る眼鏡用カバー１は上記のように構成されており、次に、この眼鏡用カバー１の使用方法について説明する。まず、図１として示すように眼鏡用カバー１を展開した状態で机上等に載置する。この際に、接着材部７，７ａ，７ｂが表面に露呈するものとする。
【００２２】
この状態で載置された眼鏡用カバー１に対して、対象となる眼鏡フレームＦの左右の蔓を拡げ、その眼鏡フレームＦのレンズ装着部分の周縁を透孔５、５の周囲の接着剤部７、７に押し当てて接着させる。この透孔５、５の周囲の接着剤部７、７に眼鏡フレームＦのレンズ装着部分の周縁に接着させた状態で、下部２もしくは上部３を眼鏡フレームＦの全体を包むように曲げて、接着剤部７ａ、７ａ及び７ｂ、７ｂを蔓部分に接着させ、眼鏡用カバー１を眼鏡フレームＦの外側から装着し、位置決めする。
【００２３】
係る状態で、眼鏡フレームＦを使用状態で装着すると、上部２は額部分と対応して、眼鏡フレームＦの上方部分の隙間を塞ぎ、下部２は眼鏡フレームＦの下方、即ち、顔面の眼下、頬の部分で眼鏡フレームＦとの隙間を塞ぐこととなる。
【００２４】
この眼鏡用カバー１の眼鏡フレームＦへの装着では、眼鏡フレームＦの蔓を加えた形状に関わりなく、自在に変形対応させることができ、顔面との接触でも、素材の特性から違和感はなく、長時間の装着でも可能となる。また、眼鏡用カバー１は使い捨てを前提としているので、廃棄時にも嵩張ってしまうこともない。
【００２５】
眼鏡用カバー１で眼鏡フレームＦを包むように覆い、蔓に接着剤部７ａ，７ｂを接着する際にはノッチ（切り込み）６、６が作用して、下部２と上部３との部分的重合を許容し、また、上部３の切り欠き３ｃが作用して蔓への接着剤部７ｂの接着を許容し、上部３の両端を蔓の上方へ導くこととなる。
【００２６】
この眼鏡用カバー１の眼鏡フレームＦへの装着は格別に視野を妨げることもなく、テニス、ゴルフ、釣り等の屋外レジャーや自動車、オートバイ、自転車等の乗物の運転にも支障をきたす虞もない。
【産業上の利用可能性】
【００２７】
本実施例に係る眼鏡用カバー１は上記のように構成されている。本実施例では対象を視力矯正用の眼鏡としてあるが、これにこだわらず、サングラスにも応用できることは勿論であり、接着剤部７，７ａ，７ｂも両面テープに代えて、アクリル系親水性高分子の接着剤を塗布しておくことも可能であり、この場合、接着剤の表面に保護用として剥離紙か剥離テープを設けておくことが望ましく、眼鏡用カバー１に、好みによって模様や柄を入れることも可能である。
【符号の説明】
【００２８】
１    眼鏡用カバー
２    下部
２ａ  上縁
３    上部
３ａ  上縁
３ｂ  下縁
３ｃ  切り欠き
４    切り欠き
５    透孔
６    ノッチ（切り込み）
７    接着剤部
７ａ  接着剤部
７ｂ  接着剤部
Ｄ    境
Ｆ    眼鏡フレーム
【図１】
2019194628.tif 000003
【図２】
2019194628.tif 000004
【図３】
2019194628.tif 000005
【図４】
2019194628.tif 000006